(57)【要約】【課題】ネットワークの設定情報が誤って変更された状態になることを防止する。【解決手段】通信交換機は、管理装置から受信したコマンドが特定のコマンドであるか否かを判定し（Ｓ３）、この判定がＹＥＳである場合に、この特定のコマンドを実行して（Ｓ６）ネットワークの設定情報を変更する（Ｓ７）。通信交換機は、所定の時間を経過するまでの間に、管理装置から変更確認コマンドを受信したか否かを判定し（Ｓ９）、この判定がＮＯである場合に、ネットワークの設定情報を変更前の内容に復旧する（Ｓ１０）。【選択図】  図３
2004165718.tif 000002
【特許請求の範囲】
【請求項１】
通信交換機におけるネットワーク設定情報の変更方法であって、
特定のコマンドを管理装置から受信した場合に、当該コマンドの実行内容に基づいてネットワークの設定情報を変更する設定情報変更ステップと、
前記設定情報変更ステップにおいて前記設定情報が変更されてから所定の時間が経過するまでの間に、前記管理装置から変更確認コマンドを受信したか否かを判定する判定ステップと、
前記判定ステップにおいて前記変更確認コマンドが受信されなかったと判定された場合に、前記設定情報変更ステップにおいて変更された前記設定情報を、変更前の内容に復旧する設定情報復旧ステップと
を備えることを特徴とするネットワーク設定情報の変更方法。
【請求項２】
前記判定ステップにおいて前記変更確認コマンドが受信されたと判定された場合に、前記設定情報変更ステップにおいて変更された前記設定情報を確定する設定情報確定ステップをさらに備えることを特徴とする請求項１記載のネットワーク設定情報の変更方法。
【請求項３】
前記設定情報は、少なくとも通信交換機のアドレス情報を含むことを特徴とする請求項１または請求項２に記載のネットワーク設定情報の変更方法。
【請求項４】
特定のコマンドを管理装置から受信した場合に、当該コマンドの実行内容に基づいてネットワークの設定情報を変更する設定情報変更手段と、
前記設定情報変更手段により前記設定情報が変更されてから所定の時間が経過するまでの間に、前記管理装置から変更確認コマンドを受信したか否かを判定する判定手段と、
前記判定手段により前記変更確認コマンドが受信されなかったと判定された場合に、前記設定情報変更手段により変更された前記設定情報を、変更前の内容に復旧する設定情報復旧手段と
を備えることを特徴とする通信交換機。
【請求項５】
前記判定手段により前記変更確認コマンドが受信されたと判定された場合に、前記設定情報変更手段により変更された前記設定情報を確定する設定情報確定手段をさらに備えることを特徴とする請求項４記載の通信交換機。
【請求項６】
前記設定情報は、少なくとも通信交換機のアドレス情報を含むことを特徴とする請求項４または請求項５に記載の通信交換機。
【請求項７】
前記通信交換機は、ＬＡＮスイッチであることを特徴とする請求項４〜６のいずれか１項に記載の通信交換機。
【発明の詳細な説明】
【０００１】
【発明の属する技術分野】
本発明は、ネットワーク設定情報の変更方法および通信交換機に関するものである。
【０００２】
【従来の技術】
従来より、通信ネットワークシステムに使用される通信交換機として、ＬＡＮスイッチ（例えば、非特許文献１参照）が知られている。また、最近では、屋外に設置されるＬＡＮスイッチも登場している。このようなシステム管理者から離れた屋外等に設置されるＬＡＮスイッチについては、当該ＬＡＮスイッチの状態を管理する管理装置がシステム管理者側に設けられている。
【０００３】
この管理装置は、ＬＡＮスイッチの状態を管理するために、ＬＡＮスイッチのＩＰアドレスを指定してリモートアクセスする。また、このＬＡＮスイッチのＩＰアドレスは、管理装置側から設定・変更可能とされている。
【０００４】
【非特許文献１】
シスコシステムズ株式会社、“Ｃｉｓｃｏ  ＬＡＮスイッチ  Ｃｉｓｃｏ  Ｃａｔａｌｙｓｔ  ２９５０Ｃ−２４，２９５０Ｔ−２４，２９５０Ｇ−１２，２９５０Ｇ−２４，２９５０Ｇ−４８，２９５０Ｇ−２４−ＤＣ  インテリジェント  イーサネット  スイッチ”、［ｏｎｌｉｎｅ］、［平成１４年１０月２５日検索］、インターネット
＜ＵＲＬ：ｈｔｔｐ：／／ｗｗｗ．ｃｉｓｃｏ．ｃｏｍ／ｊａｐａｎｅｓｅ／ｗａｒｐ／ｐｕｂｌｉｃ／３／ｊｐ／ｐｒｏｄｕｃｔ／ｐｒｏｄｕｃｔ／ｓｗｉｔｃｈ／ｃａｔ２９５０／ｐｒｏｄｌｉｔ／ｐｄｆ／ｃａｔ２９５０＿ｃ＿ｔ＿ｃａｔ．ｐｄｆ  ＞
【０００５】
【発明が解決しようとする課題】
しかしながら、ＬＡＮスイッチのＩＰアドレスが、管理装置側からの誤入力や設計ミス等によって誤った情報に一旦変更されてしまった場合には、管理装置からＬＡＮスイッチに再度リモートアクセスすることができなくなってしまうという事態が発生し得る。このような事態が発生した場合には、システム管理者がＬＡＮスイッチの設定場所まで直接出向き、ＩＰアドレスを設定し直しさなければならず、手間がかかるという問題があった。また、このような問題は、ＬＡＮスイッチのＩＰアドレスを設定・変更する場合に限られず、例えば、ＬＡＮスイッチのフィルタ設定やＶＬＡＮ（Ｖｉｒｔｕａｌ  ＬＡＮ）設定等のネットワーク設定情報を誤った場合にも発生し得る。
【０００６】
そこで、本発明は、上述した課題を解決するために、ネットワークの設定情報が誤って変更された状態になることを防止できるネットワーク設定情報の変更方法および通信交換機を提供することを目的とする。
【０００７】
【課題を解決するための手段】
本発明のネットワーク設定情報の変更方法は、通信交換機におけるネットワーク設定情報の変更方法であって、特定のコマンドを管理装置から受信した場合に、当該コマンドの実行内容に基づいてネットワークの設定情報を変更する設定情報変更ステップと、設定情報変更ステップにおいて設定情報が変更されてから所定の時間が経過するまでの間に、管理装置から変更確認コマンドを受信したか否かを判定する判定ステップと、判定ステップにおいて変更確認コマンドが受信されなかったと判定された場合に、設定情報変更ステップにおいて変更された設定情報を、変更前の内容に復旧する設定情報復旧ステップとを備えることを特徴とする。
【０００８】
また、本発明の通信交換機は、特定のコマンドを管理装置から受信した場合に、当該コマンドの実行内容に基づいてネットワークの設定情報を変更する設定情報変更手段と、設定情報変更手段により設定情報が変更されてから所定の時間が経過するまでの間に、管理装置から変更確認コマンドを受信したか否かを判定する判定手段と、判定手段により変更確認コマンドが受信されなかったと判定された場合に、設定情報変更手段により変更された設定情報を、変更前の内容に復旧する設定情報復旧手段とを備えることを特徴とする。
【０００９】
これらの発明によれば、ネットワークの設定情報が変更されてから所定の時間が経過するまでの間に管理装置から変更確認コマンドを受信しなかったと判定された場合には、ネットワークの設定情報が変更前の内容に復旧される。すなわち、ネットワークの設定情報が、管理装置からの誤入力等によって誤った情報に一旦変更されてしまった場合でも、ネットワークの設定情報を変更前の内容に復旧させることができる。したがって、ネットワークの設定情報が誤って変更された状態になることを防止することができる。
【００１０】
本発明のネットワーク設定情報の変更方法において、判定ステップにおいて変更確認コマンドが受信されたと判定された場合に、設定情報変更ステップにおいて変更された設定情報を確定する設定情報確定ステップをさらに備えることが好ましい。
【００１１】
また、本発明の通信交換機において、判定手段により変更確認コマンドが受信されたと判定された場合に、設定情報変更手段により変更された設定情報を確定する設定情報確定手段をさらに備えることが好ましい。
【００１２】
このようにすれば、ネットワークの設定情報が変更されてから所定の時間が経過するまでの間に、管理装置から変更確認コマンドを受信したと判定された場合には、ネットワークの設定情報を変更後の内容で確定することができる。すなわち、ネットワークの設定情報が正しく変更されたと判定された場合には、ネットワークの設定情報が変更後の内容で確定される。
【００１３】
本発明のネットワーク設定情報の変更方法において、設定情報は、少なくとも通信交換機のアドレス情報を含むことが好ましい。
【００１４】
また、本発明の通信交換機において、設定情報は、少なくとも通信交換機のアドレス情報を含むことが好ましく、また、通信交換機は、ＬＡＮスイッチであることが好ましい。
【００１５】
このようにすれば、通信交換機（特に、ＬＡＮスイッチ）のアドレス情報が誤って変更されてしまうことを防止することができる。
【００１６】
【発明の実施の形態】
以下、本発明に係る通信交換機を含む通信システムの一実施形態を図面に基づき説明する。なお、各図において、同一要素には同一符号を付して重複する説明を省略する。
【００１７】
図１は本実施形態における通信システム１の概要構成を例示する図である。図１に示すように通信システム１は、通信システム１を管理する管理センター６と、この管理センター６に幹線ケーブル５を介して接続される通信交換機２と、この通信交換機２に支線ケーブル９を介して接続される複数のユーザ端末設備１０とを有している。
【００１８】
管理センター６には、ネットワーク機器７および管理装置８が備えられている。ネットワーク機器７は、複数の端末間で通信を行う際に、各端末間に設置されてネットワーク通信の仲介をする機器である。ネットワーク機器７としては、例えば、ルータが該当する。ネットワーク機器７は、その直下に接続された端末あるいは隣接するネットワーク機器から受信したデータを、その直下に接続された他の端末あるいは隣接する他のネットワーク機器に対して送信を行う機能を有する。管理装置８は、通信交換機２にリモートアクセスする機能を有し、通信交換機２で設定されているＩＰアドレス等のネットワーク設定情報を変更したり、通信交換機２内の温度等を管理するための設定情報を変更する。なお、管理装置８は、必ずしもネットワーク機器７を介して通信交換機２に接続される必要はなく、ネットワーク機器７を介さずに通信交換機２に接続してもよい。
【００１９】
ユーザ端末設備１０には、メディアコンバータ１１、スイッチ１２およびユーザ端末１３が備えられている。メディアコンバータ１１は、光信号と電気信号とを相互に変換する装置である。スイッチ１２は、受信したデータを目的の端末に向けて送信する機能を有する装置で、複数のポートを有している。スイッチ１２は、どのポートにどの端末が接続されているかという情報を保持しており、受信したデータを転送するときには、この情報に基づいて送信するポートを決定する。具体的に説明すると、スイッチ１２は、受信したデータに含まれる宛先アドレス情報（ＭＡＣアドレス、ＩＰアドレス、ポート番号等）を参照し、この宛先アドレス情報に対応する端末が直接あるいは間接的に接続しているポートを割り出して、そのポートから当該端末宛てにデータを転送する。ここで、特にＭＡＣアドレスを確認するスイッチのことを、一般にレイヤ２スイッチ、ブリッジ等と呼び、ＩＰアドレスを確認するスイッチのことを、一般にレイヤ３スイッチ、ルータ等と呼び、ポート番号を確認するスイッチのことを、レイヤ４スイッチ等と呼ぶ。また、ユーザ端末１３は、スイッチ１２とメディアコンバータ１１を介して通信交換機２に接続される。なお、ユーザ端末１３が１台の場合には、スイッチ１２を介さずにメディアコンバータ１１とユーザ端末１３とが直結されることもある。
【００２０】
通信交換機２は、ネットワーク機器７と同等の性能を持ち、屋外にも設置可能な装置である。通信交換機２としては、例えば、ＬＡＮスイッチが該当する。この通信交換機２には電源ケーブル３を介して外部電源４が接続されており、この外部電源４によって通信交換機２に電力が供給される。なお、外部電源４としては、商用電源や無停電電源、通信ケーブルに重畳した電源等が使用される。
【００２１】
次に、図２を参照して、通信交換機２の機能構成を説明する。図２に示すように、通信交換機２は、設定情報変更部２１と、計時部２２と、確認判定部２３と、設定情報復旧部２４と、設定情報確定部２５とを備えている。以下において各機能の説明をする。
【００２２】
まず、設定情報変更部２１は、管理装置８から受信したコマンドが特定のコマンドであるか否かを判定し、特定のコマンドであると判定した場合に、このコマンドが実行されることにより変更されるネットワークの設定情報を、図示しないＲＡＭ（Ｒａｎｄｏｍ  Ａｃｃｅｓｓ  Ｍｅｍｏｒｙ）に一時的に記憶させてから、当該コマンドを実行する。また、設定情報変更部２１は、管理装置８から受信したコマンドの実行内容に基づいてネットワークの設定情報を変更する。ここで、特定のコマンドとしては、管理装置８からリモートアクセスする際のリンクが切断されてしまうおそれのあるコマンドが該当し、例えば、ＩＰアドレスの設定を変更するコマンド、フィルタの設定を変更するコマンド、ＶＬＡＮ（Ｖｉｒｔｕａｌ  ＬＡＮ）の設定を変更するコマンドがある。
【００２３】
計時部２２は、設定情報変更部２１によりネットワークの設定情報が変更された直後からの経過時間を計時する。
【００２４】
確認判定部２３は、計時部２２により計時されている時間が、所定の時間（例えば、１０分）を経過するまでの間に、管理装置８から変更確認コマンドを受信したか否かを判定する。すなわち、確認判定部２３は、設定情報変更部２１によりネットワークの設定情報が変更されてから所定の時間が経過するまでの間に、管理装置８から変更確認コマンドを受信したか否かを判定する。
【００２５】
設定情報復旧部２４は、確認判定部２３により変更確認コマンドが所定の時間内に受信されなかったと判定された場合に、設定情報変更部２１により変更されたネットワークの設定情報を、ＲＡＭに記憶させたネットワークの設定情報に書き換える。すなわち、設定情報復旧部２４は、確認判定部２３により変更確認コマンドが所定の時間内に受信されなかったと判定された場合に、設定情報変更部２１により変更されたネットワークの設定情報を変更前の内容に復旧する。
【００２６】
設定情報確定部２５は、確認判定部２３により変更確認コマンドが所定の時間内に受信されたと判定された場合に、設定情報変更部２１により変更されたネットワークの設定情報を確定する。
【００２７】
次に、図３を参照して、通信システム１において実行されるネットワークの設定情報変更処理の概要動作について説明する。
【００２８】
図３に示すように、まず、例えば、オペレータが、管理装置８から通信交換機２のＩＰアドレスを指定してＴｅｌｎｅｔを利用することにより、管理装置８は、通信交換機２にリモートアクセスする（ステップＳ１）。次に、管理装置８は、オペレータにより入力されたコマンドを通信交換機２に送信する（ステップＳ２）。
【００２９】
通信交換機２の設定情報変更部２１は、管理装置８から受信したコマンドが特定のコマンドであるか否かを判定する（ステップＳ３）。この判定がＮＯである場合（ステップＳ３；ＮＯ）に、通信交換機２では、管理装置８から受信したコマンドが実行され（ステップＳ４）、ネットワークの設定情報変更処理を終了する。
【００３０】
一方、ステップＳ３における判定で、管理装置８から受信したコマンドが特定のコマンド（例えば、ＩＰアドレスの設定を変更するコマンド）であると判定された場合（ステップＳ３；ＹＥＳ）に、通信交換機２の設定情報変更部２１は、このコマンドが実行されることにより変更されるネットワークの設定情報（例えば、通信交換機２のＩＰアドレス）を、ＲＡＭに一時的に記憶させる（ステップＳ５）。
【００３１】
次に、設定情報変更部２１は、管理装置８から受信した特定のコマンドを実行する（ステップＳ６）。そして、設定情報変更部２１は、管理装置８から受信した特定のコマンドの実行内容に基づいてネットワークの設定情報を変更する（ステップＳ７）。
【００３２】
次に、通信交換機２の計時部２２は、設定情報変更部２１によりネットワークの設定情報が変更された直後からの経過時間の計時を開始する（ステップＳ８）。確認判定部２３は、計時部２２により計時されている時間が、所定の時間（例えば、１０分）を経過するまでの間に、管理装置８から変更確認コマンドを受信したか否かを判定する（ステップＳ９）。
【００３３】
ステップＳ９における判定がＮＯである場合（ステップＳ９；ＮＯ）に、設定情報復旧部２４は、設定情報変更部２１により変更されたネットワークの設定情報を、ＲＡＭに記憶させたネットワークの設定情報に書き換えることにより、ネットワークの設定情報を変更前の内容に復旧する（ステップＳ１０）。
【００３４】
一方、ステップＳ９における判定で、変更確認コマンドが所定の時間内に受信されたと判定された場合（ステップＳ９；ＹＥＳ）に、設定情報確定部２５は、設定情報変更部２１により変更されたネットワークの設定情報を確定する（ステップＳ１１）。
【００３５】
以上のように、本実施形態における通信交換機２では、確認判定部２３により、ネットワークの設定情報変更後所定の時間が経過するまでの間に管理装置８から変更確認コマンドを受信しなかったと判定された場合には、通信交換機のＩＰアドレスが誤った情報に一旦変更されているものと想定し、設定情報復旧部２４により、ネットワークの設定情報を変更前の内容に復旧させている。すなわち、通信交換機のＩＰアドレスが、管理装置８からの誤入力等によって誤った情報に一旦変更されてしまった場合でも、設定情報復旧部２４が、ネットワークの設定情報を変更前の内容に復旧させることができる。したがって、管理装置から通信交換機２に再度リモートアクセスすることができなくなってしまうという事態を防止することができる。
【００３６】
また、このような効果は、通信交換機２のＩＰアドレスが誤入力等された場合に限られず、例えば、通信交換機２のフィルタ設定やＶＬＡＮ（Ｖｉｒｔｕａｌ  ＬＡＮ）設定等のネットワーク設定情報が誤入力等された場合にも、同様にして得られる。
【００３７】
【発明の効果】
本発明に係るネットワーク設定情報の変更方法および通信交換機によれば、ネットワークの設定情報が誤って変更された状態になることを防止することができる。
【図面の簡単な説明】
【図１】発明の実施形態における通信システムの構成図である。
【図２】図１に示す通信交換機の機能構成を示すブロック図である。
【図３】ネットワークの設定情報変更処理の概要動作を示すシーケンスチャートである。
【符号の説明】
１・・・通信システム、２・・・通信交換機、３・・・電源ケーブル、４・・・外部電源、５・・・幹線ケーブル、６・・・管理センター、７・・・ネットワーク機器、８・・・管理装置、９・・・支線ケーブル、１０・・・ユーザ端末設備、１１・・・メディアコンバータ（ＭＣ）、１２・・・スイッチ（ＳＷ）、１３・・・ユーザ端末、２１・・・設定情報変更部、２２・・・計時部、２３・・・確認判定部、２４・・・設定情報復旧部、２５・・・設定情報確定部。
【図１】
2004165718.tif 000003
【図２】
2004165718.tif 000004
【図３】
2004165718.tif 000005